(57)【要約】【課題】  商品への視線誘導効果や着目度向上効果を持つ展示装置の提供を課題とする。【解決手段】  展示装置１は観察側に透明液晶パネル、背面側に調光素子３１を２次元のマトリクス状に並べた調光パネル１２を備え、調光パネル１２の任意の領域をセル単位で透過あるいは不透過とすることにより、展示物２と透明液晶パネルの像情報を同時に観察する際に多彩な見せ方、すなわち演出効果（展示物情報の付加、視線集中など）を高めることが可能となる。【選択図】  図３
2013198563.tif 000002
【特許請求の範囲】
【請求項１】
展示物を収納し、該展示物を観察するための窓部を備える展示装置であって、
前記窓部の観察側には、像情報を表示し、背面側を透視可能な透明液晶パネルが設けられ、
前記透明液晶パネルの、観察側の反対側にあたる背面側には、透明状態と不透明状態との間を任意に調整可能な調光素子を二次元のマトリクス状に配列してなる調光パネルが設けられ、
前記調光パネルの背面側に前記展示物を収納する展示物収納空間を設けたことを特徴とする展示装置。
【請求項２】
さらに前記調光パネルを照明する光源を備え、該光源は、前記調光パネルの背面側に設けられることを特徴とする請求項1記載の展示装置。
【請求項３】
展示物を観察するための窓部を備える展示装置であって、
前記窓部の観察側には、像情報を表示し、背面側を透視可能な透明液晶パネルが設けられ、
前記透明液晶パネルの、観察側の反対側にあたる背面側には、透明状態と不透明状態との間を任意に調整可能な調光素子を二次元のマトリクス状に配列してなる調光パネルが、前記透明液晶パネルと間隔を持って設けられ、
前記調光パネルの背面側に前記展示物を置くスペースが設けられ、
前記透明液晶パネルと前記調光パネルとの間に、前記調光パネルを照明する光源を設けたことを特徴とする展示装置。
【発明の詳細な説明】
【技術分野】
【０００１】
本発明は、商品などの物品を展示する際に用いる展示装置に関する。
【背景技術】
【０００２】
商品を展示するにあたっては、目を引く、あるいは商品をより魅力的に見せるため、様々な工夫がなされている。照明の工夫やデコレーションを施すなどは常套手段であり、照明の点滅や回転台の利用なども着目度を上げる工夫である。
また、単に商品を見せるだけでなく、そこに添えるキャッチフレーズや要を得た説明書なども重要な要素である。また最近は、上記のように商品の周辺を飾るだけでなく、情報表示技術を用いてさらに着目度を上げようとする試みがある。
【０００３】
特許文献１は展示ケースの発明であり、側面に透視可能な透光パネルが設けられた展示ケースの前記透光パネルを液晶ディスプレイで構成することにより、展示された物品とともに視線を外すことなく物品の情報を得ることを可能としている。
また、特許文献２のディスプレイ装置は、さらに調光パネルを備え、表示体（物品）と像情報を同時に表わす、また、物品のみあるいは像情報のみを表わす、など３つのモードを切り換えることで見せ方に変化を持たせ、商品の広告効果や遊技機の興趣の向上を図ろうとしている。
【先行技術文献】
【特許文献】
【０００４】
【特許文献１】特開２０００−１４６号公報
【特許文献２】特開２００５−１２８３９３号公報
【０００５】
しかしながら、特許文献１の展示ケースは、展示された物品と情報を重ねて観察するに止まり、また、特許文献２のディスプレイ装置は、３つのモードにより、表現に変化をもたらすが、情報とともに商品を見せたり隠したりの域を出ず、着目度を上げるという意味では効果が弱い。
【発明の概要】
【発明が解決しようとする課題】
【０００６】
そこで、本発明は、例えば上記３つのモードによる表現効果に止まることなく、さらに動的効果を加えるなどにより、商品への視線誘導効果や着目度向上効果を持つ展示装置の提供を課題とする。
【課題を解決するための手段】
【０００７】
本願第１の発明は、展示物を収納し、該展示物を観察するための窓部を備える展示装置であって、
前記窓部の観察側には、像情報を表示し、背面側を透視可能な透明液晶パネルが設けられ、前記透明液晶パネルの、観察側の反対側にあたる背面側には、透明状態と不透明状態との間を任意に調整可能な調光素子を二次元のマトリクス状に配列してなる調光パネルが設けられ、前記調光パネルの背面側に前記展示物を収納する展示物収納空間を設けたことを特徴とする。
さらに前記調光パネルを照明する光源を備え、該光源は、前記調光パネルの背面側に設けられることを特徴とする。
【０００８】
本願第２の発明は、展示物を観察するための窓部を備える展示装置であって、前記窓部の観察側には、像情報を表示し、背面側を透視可能な透明液晶パネルが設けられ、
前記透明液晶パネルの、観察側の反対側にあたる背面側には、透明状態と不透明状態との間を任意に調整可能な調光素子を二次元のマトリクス状に配列してなる調光パネルが、前記透明液晶パネルと間隔を持って設けられ、前記調光パネルの背面側に前記展示物を置くスペースが設けられ、前記透明液晶パネルと前記調光パネルとの間に、前記調光パネルを照明する光源を設けたことを特徴とする。
【発明の効果】
【０００９】
調光パネルのそれぞれの調光素子の透過度を自在に制御できるので、観察する視野の大小、視野の移動、展示物と像情報の同時表示、など多彩な見せ方（演出）が可能となり従来にない表現効果が得られる。
【図面の簡単な説明】
【００１０】
【図１】本願第１の発明の展示装置を示す斜視図
【図２】本願第１の発明の展示装置の構成図
【図３】本発明の展示装置の調光パネルを示す図
【図４】本願第２の発明の展示装置を示す斜視図
【図５】本願第２の発明の展示装置の構成図
【図６】本発明の展示装置の作用を示す図
【図７】本発明の展示装置の制御装置を示す図
【図８】調光素子の構成を示す図
【発明を実施するための形態】
【００１１】
以下に本発明の展示装置について、図を用いながら詳細に説明する。
図１は、本願第１の発明の展示装置を表わす斜視図である。
展示装置１は、展示物２を収納する展示物収納空間１０を持ち、展示物２を観察するための窓部３を備える。また他に、図示しないが、展示物２をライトアップするための照明装置、展示装置１を制御する制御装置などを備える。
【００１２】
図２は、本願第１の発明の展示装置の構成を示す図であり、図２（ａ）は図１の展示装置１の正面図、図２（ｂ）は図２（ａ）のＡ−Ａ断面を表わす断面図である。
図２（ｂ）に示すように、展示装置１の窓部３は透明液晶パネル１１と調光パネル１２とで構成され、透明液晶パネル１１が観察側に、調光パネル１２が透明液晶パネル１１の背面側に設けられている。また、調光パネル１２の背面側に、光源５が調光パネル１２を照射するよう、かつ展示物を観察する際の視野の妨げにならぬ位置に配置されている。
【００１３】
透明液晶パネル１１は、カラー液晶方式でも、単色液晶方式であってもよいが、いわゆるバックライトを持たない透明液晶パネルである。透明液晶パネル１１は、一般のテレビやモニターに用いられるバックライトを持つ液晶ディスプレイ（通常のディスプレイと呼ぶ）と同様に像情報を映し出すが、像情報とともに同パネルの背後の情景が透けて見えるのが特徴である。
【００１４】
一般に液晶パネルは、液晶パネルの液晶層が透過から遮光の間を階調を持って変化することにより明暗を表現するので、透明液晶パネルの場合、映し出される画像（像情報）の明度が高いほど背後の情景が明るく観察されることになる。すなわち、透明液晶パネルの場合は、明度を最も高く表示させたときに最も透過度が高くなり、明度が下がるにつれ、透過度も低くなる。
【００１５】
続いて調光パネル１２について説明する。
調光パネル１２は、透明状態と不透明状態を電気的に切り替え可能な調光素子により構成される。調光素子は一種の液晶であり、図８に示すように、調光素子８０は液晶層８１を透明電極で挟んだ構成を持ち、電極間に印加される電圧により透明状態と不透明状態を切り換える。すなわち、通常は液晶層８１の液晶分子は配列の方向が不規則な状態にあり、液晶層８１に入射した光は散乱光となるが（不透明状態）、電極８２の間に電位差が与えられると液晶分子が整列するため、入射光は散乱することなく透過する（透明状態）。ここで、透明状態とは調光素子８０の背後が透けて見える状態を指し、不透明状態とは散乱により白濁して見える状態を指す。したがって、不透明状態の調光素子８０に照射された光は、背面側からの照射であっても観察側からの照射であっても、散乱光として観察される。
【００１６】
なお、調光素子８０は、表面保護と形状安定のため、通常はさらに透明ガラス等で挟んだ形態で利用される。このような形で、例えば瞬間調光ガラスと称して製品化されており、窓の光量調整、目隠し、シャッター、スクリーンなどに用いられている。
【００１７】
また、調光素子８０は、透明状態と不透明状態の切り替えの応答が極めて速いため、印加する電圧を高速で制御することにより、透明状態と不透明状態の中間状態（半透明状態）や、不透明状態から透明状態へ徐々に変化させるなどの操作も可能である。
この他にも透明状態と不透明状態を切り換える調光素子は種々あり、例えば、特開平６−２７３７２５号公報に組成、構成等が詳述されている。
【００１８】
本発明の展示装置の調光パネル１２は、上記のような調光素子８０を２次元のマトリクス状に並べた構成としている。
図３は、本発明の展示装置の調光パネルの構成を表わし、図３（ａ）は調光パネル１２を表わす展示装置１の別の視点からの斜視図であり、図３（ｂ）は調光パネル１２の構成を表わす図である。
図３（ｂ）に示すように、調光パネル１２は調光素子３１をｍ×ｎの二次元に配列して形成されており、各調光素子３１はそれぞれ独立して駆動される。このように分割した構成とすることにより（分割した領域をセルと呼ぶこととする）、窓部４０の任意の領域をセル単位で透過あるいは不透過とすることができる。
【００１９】
このようにセル単位で透過、不透過の制御が可能な調光パネル１２と前記透明液晶パネル１１を組み合わせることにより、本発明の展示装置１は、従来にない見せ方（演出効果）や視線誘導効果を得ることができる。
図６は、本発明の展示装置の作用を示す図であり、透明液晶パネル１１と調光パネル１２の駆動パターンの組合せによる表示例を図６（ａ）〜（ｄ）に表わす。
【００２０】
図６（ａ）は、透明液晶パネル１１、調光パネル１２とも全面透過の状態にある。このとき展示物２が明瞭に観察される。
図６（ｂ）は、透明液晶パネル１１の一部に像情報を映すとともに、この部分に対応する調光パネル１２のセルを不透過とした状態である。このとき、展示物２は透明液晶パネル１１の透明部分を通して視認され、視界の一部に像情報が映し出されるが、この部分の調光パネル１２のセルが不透過状態にあるので、像情報はこの不透過部分を背景にして明瞭に観察される。
図６（ｃ）は、透明液晶パネル１１の一部に像情報を映し、調光パネル１２は全面透過の状態にある。このとき、像情報と物品は重ねて視認される。例えば、解説などの文字情報を流す、などの際に効果的である。
図６（ｄ）は、透明液晶パネル１１に送出する像情報の一部を透明化し、この部分に対応する調光パネル１２のセルを透明化した状態にある。このとき、透明部以外は不透過にあるので視野が制限されるため、視線は展示物２の一部に注がれる。また、視野の大小や移動などを加えることにより、さらに変化に富んだ演出が可能となる。
図６（ａ）〜（ｄ）の例に限らず、透明液晶パネル１１に表示される像情報と調光パネル１２の制御を連動させることにより多様な演出が可能となるが、これら演出は後述の制御装置と制御装置に格納されたプログラムにより実行される。
【００２１】
なお、図２に示すように、光源５は点灯状態では調光パネル１２を照らしており、調光パネル１２の不透過部分はあたかも通常のディスプレイにおけるバックライトのような働きを持つため、透明液晶パネル１１の像情報を明瞭に映し出す。また、透明液晶パネル１１は明度を下げるほど遮光性が高くなるためより暗く視覚される。そこで、透明液晶パネル１１と調光パネル１２の使い分けにより、白マスクや黒マスクなどの表示も可能となる。
【００２２】
図４は、本願第２の発明の展示装置である展示装置４を表わす斜視図である。
展示装置４の窓部４０は、間隔を置いた透明液晶パネル１１と調光パネル１２とで構成されており、両パネルの間には光源５が調光パネル１２を照射するよう配置されている。
図５は、本願第２の発明の展示装置４の構成を示す図であり、図５（ａ）は展示装置４の正面図、図５（ｂ）は図５（ａ）のＢ−Ｂ断面を表わす断面図である。
図５（ｂ）に示すように、透明液晶パネル１１と調光パネル１２の間には光源５が調光パネル１２を照射するよう、かつ窓部４０の視野の妨げにならぬ位置に配置されている。
【００２３】
調光パネル１２は、図３（ｂ）に示すように、調光素子３１をｍ×ｎの二次元に配列したセルで形成されており、各調光素子３１はそれぞれ独立して駆動されるため、窓部４０の任意の領域をセル単位で透過あるいは不透過とすることができる。
また、光源５は、点灯状態では観察側から調光パネル１２を照らしており、調光パネル１２が不透過部の状態にあるときには通常のディスプレイにおけるバックライトのような作用を果たすため、透明液晶パネル１１の像情報を明瞭に映し出す。
【００２４】
展示装置４は、光源５が透明液晶パネル１１と調光パネル１２の間にあることから、展示物２を囲う箱構造の制約がなくなるため、箱構造の形態や構成の自由度が増大するという効果が得られる。また、光源５が観察側から調光パネル１２を照らすため、調光パネル１２が透過の状態にあるときには、観察側から展示物２をライトアップする効果を併せ持つ。
【００２５】
図５（ｃ）は、このような展示装置４の一態様を表わす。
ここでは展示装置４は上記箱構造を持たず、壁などの仕切り材５１に埋め込まれ、窓部材の形で用いられる。この場合、展示物２を置くスペース４５は特定の領域に制限することがなくなり、観察側が屋内で、展示物２が屋外に置かれる、などの展示形態も可能となる。
【００２６】
なお、展示装置４の表示の態様は展示装置１の場合と同様であり、上記、図６を用いて説明したとおりである。
また、透明液晶パネル１１と調光パネル１２の組合せによる「見せ方」の演出は図６（ａ）〜（ｄ）のパターンに限らず多彩であり、例えば、透明部を複数設ける、マスクの大小や移動など動きを加える、など「視線誘導」や「視線集中」をもたらす演出も可能となる。これらの演出は、制御装置のプログラムが実行する。
【００２７】
図７は、本発明の展示装置の制御装置の構成図である。
制御装置７は、透明液晶パネル１１を制御する像情報制御部７１、調光パネル１２を制御する調光制御部７２、光源５を制御する光源制御部７５、展示物２をライトアップするための照明装置６を制御する照明制御部７６、および、これら各部を制御する管理装置７０により構成される。
【００２８】
像情報制御部７１は、駆動回路や電源回路を持ち、管理装置７０から送出される像情報を透明液晶パネル１１に表示するための制御を担うが、透明液晶パネル１１の表示の仕組みは通常のディスプレイに用いられる液晶パネルと同様なので、像情報制御部７１は通常のディスプレイのものと同様に構成することができる。
【００２９】
また、調光制御部７２は、駆動回路や電源回路を持ち、調光素子３１の透明／不透明（あるいは半透明）を独立に制御する。例えば駆動回路としては、液晶パネルにおけるアクティブマトリクス方式と同様に、縦横にｍ本、ｎ本の電極を配し、各調光素子３１ごとに設けたアクティブ素子（例えばＴＦＴ）をＯＮ／ＯＦＦさせる、といった構成がある（特開昭６０−２０９７８１号公報「第２図」参照）。
【００３０】
管理装置７０は、表示部７７や操作部（キーボードなど）７８を持つコンピュータからなり、透明液晶パネル１１に映し出す像情報をはじめとする表示素材や、これら素材を組合せ各制御部を制御するプログラムを格納している。このプログラムにより、像情報と調光パネル１２との同期を始め、光源５や照明装置６との連動を含めた「演出」が実行される。
また、管理装置７０の表示部７７や操作部７８を介して展示装置１（または４）への指示や作動状態の確認、また、素材、プログラムの変更などを行うことができる。
【００３１】
以上、説明したように、本発明の展示装置によれば、展示物に像情報を付加するのみでなく、さらに透視や遮光、あるいはマスクなどを組合せることにより、より多彩な見せ方（演出）が可能となる。
【符号の説明】
【００３２】
１  展示装置
２  展示物
３  窓部
４  展示装置
５  光源
６  照明装置
７  制御装置
１１  透明液晶パネル
１２  調光パネル
３１  調光素子
４０  窓部
４５  スペース
７０  管理装置
【図１】
2013198563.tif 000003
【図２】
2013198563.tif 000004
【図３】
2013198563.tif 000005
【図４】
2013198563.tif 000006
【図５】
2013198563.tif 000007
【図６】
2013198563.tif 000008
【図７】
2013198563.tif 000009
【図８】
2013198563.tif 000010